(57)【要約】  建築物または構造物内で接続された構造要素間の振動の伝達を制限する構造用コネクタが提供される。構造用コネクタは２枚の対向するシート１０、２０から形成され、振動減衰材料２３のみがそれら２枚のシートを接続する。
2017528624.tif 000002
【特許請求の範囲】
【請求項１】
第１のシートと、
前記第１のシートに対向する第２のシートと、
前記第１のシートのいずれの部分も前記第２のシートと接触しないように前記第１のシートおよび前記第２のシートを接合する振動減衰材料と、
前記第１のシートから前記振動減衰材料中へ延びる補強構造体と
を含む、構造用コネクタ。
【請求項２】
前記振動減衰材料が粘弾性材料である、請求項１に記載の構造用コネクタ。
【請求項３】
前記振動減衰材料がシリコーンベースの空気硬化性材料である、請求項１に記載の構造用コネクタ。
【請求項４】
前記第１のシートは、前記振動減衰材料から離れて延びる拡張部分をさらに含む、請求項１に記載の構造用コネクタ。
【請求項５】
前記第１のシートの前記拡張部分には、複数の開口が形成されている、請求項４に記載の構造用コネクタ。
【請求項６】
前記補強構造体は、前記第２のシートの方に延びる前記第１のシートの長さに沿った突出部であり、
前記突出部は、Ｔ字形の断面を有する、請求項１に記載の構造用コネクタ。
【請求項７】
前記補強構造体は、前記第２のシートの方に延び、補強用梯子として形成され、
前記補強用梯子は、細長い要素と、前記細長い要素を前記第１のシートに取り付ける複数の横木とを含む、請求項１に記載の構造用コネクタ。
【請求項８】
前記補強構造体は、前記第２のシートの方に延び、
前記第２のシートから前記第１のシートの方向かつ前記振動減衰材料中へ延びる第２の補強構造体をさらに含む、請求項１に記載の構造用コネクタ。
【請求項９】
請求項１に記載の構造用コネクタと、
前記第１のシートに接続された建築用小梁とを含む、構造物。
【請求項１０】
請求項１に記載の構造用コネクタと、
前記第１のシートに接続された壁アセンブリの板とを含む、構造物。
【請求項１１】
第１のシートと、
前記第１のシートに対向する第２のシートと、
前記第１のシートのいずれの部分も前記第２のシートと接触しないように前記第１のシートおよび前記第２のシートを接合する振動減衰材料と、
前記第１のシートおよび前記第２のシートのそれぞれに凹設された溝であって、前記振動減衰材料が各溝内に延びる、溝と
を含む、構造用コネクタ。
【請求項１２】
前記振動減衰材料は、粘弾性材料である、請求項１１に記載の構造用コネクタ。
【請求項１３】
前記第１のシートは、前記振動減衰材料から離れて延びる拡張部分をさらに含む、請求項１１に記載の構造用コネクタ。
【請求項１４】
前記第１のシートおよび第２のシートは、それぞれ複数の前記溝を有する、請求項１１に記載の構造用コネクタ。
【請求項１５】
前記溝は、ダブテール型の溝として形成される、請求項１１に記載の構造用コネクタ。
【発明の詳細な説明】
【技術分野】
【０００１】
本発明は、概して、建築構造に関する。詳細には、本発明は、振動を減衰し、音を遮断する構造用コネクタであって、防音および騒音低減に役立つように様々な建築要素を接続する構造用コネクタに関する。
【背景技術】
【０００２】
振動減衰装置の分野において、一般的な解決策は、金属シートと粘弾性高分子材料とを含む複合型振動減衰材料である。そのような振動減衰装置の一例は、薄い鋼板と、その両側に取り付けられたゴムまたは合成樹脂ベースの粘弾性高分子層とから形成され、別の振動減衰装置は、粘弾性高分子層を２枚の鋼板間に挟んで接合することによって形成されている。
【０００３】
前記複合型振動減衰装置は、自動車のエンジンマウント、ディスクブレーキ、オイルパン、トランスミッション、コンプレッサ、エアクリーナ、ブレーキクラッチ、電子レンジ、スピーカーおよびプレーヤなど、広範囲の産業分野で使用される。しかしながら、従来技術の振動減衰装置は、建造中に受ける多大または複合的な負荷、あるいは特定の大きな抵抗力を支持することが構造的に不可能である。
【０００４】
他の防音システムは、相当の遮音材および特別に設計された建築材料の使用を含む。これら両システムは費用が掛かり、および取付けが難しい可能性がある。さらに、防音に対するこれらの既存の取組みは、一般に、表面で音を単に弱める局所的な適用にすぎない。構造要素は防音システムでは使用されていない。
【０００５】
空洞による遮音は、空気伝播音の伝達を低減するが、高密度材料を通って直接経路を移動する衝撃音などの固体伝播音に効果はない。
【０００６】
別の取組みは、食い違い状に配置された大壁を使用する。この大壁は実際には２重の間柱付きの壁であり、それにより、対向する壁仕上げ材が共通の間柱への結合を共有しない。この方法では、両方の大壁は、壁の衝撃を天井面に向けて上方および床システムを介して下方に移動することを許容する同じ天板および底板に取り付けられているため、音の伝達を部分的に制御するのみである。追加の壁板層または壁板シート間に質量負荷を受けるビニルシートを導入することによって騒音を制御する試みも行われている。この場合もやはり、これらの特徴は音の構造上の伝達を防止できず、多少の音の伝達を弱めるのみである。
【０００７】
従って、必要とされているのは、適切に振動を減衰することができる装置であって、建築構造物の一体部分であることが可能であり、かつ建築物内および建造中に受ける重い負荷に耐えることが可能な装置である。
【発明の概要】
【０００８】
本出願の主題は、場合によっては、互いに関係する製品、特定の問題に対する代替的な解決策、および／または単一システムもしくは物品の複数の異なる使用を伴い得る。
【０００９】
一態様において、建築物の構造要素を相互に接合するための構造用コネクタが提供される。構造用コネクタは、振動減衰材料によって相互に接合される２枚のシートを含む。２枚のシートは互いに対向する。２枚のシートの間に振動減衰材料が設けられている。これにより、第１のシートのいずれの部分も第２のシートと接触しない。補強構造体は、上記シートの一方または両方から振動減衰材料中へ突出し得る。
【００１０】
別の態様において、構造用コネクタを使用する方法が提供される。一実施形態では、部屋の建造中に該部屋を防音する方法が提供される。該方法は、複数の間柱を天板および底板に接続し、壁のフレーム構造を形成することを含む。多数の構造用コネクタを使用して天板は上部小梁に取り付けられ、底板は底部小梁に取り付けられ得る。１つの構造用コネクタが天板および底板と小梁との間の各接続部に使用される。さらに、該方法は、コネクタを小梁に取り付け、次いで天井をコネクタに取り付けることによって、天井を小梁に接続することを含み得る。さらに、コネクタを小梁に取り付け、次いで床をコネクタに取り付けることによって、床が小梁に接続され得る。
【図面の簡単な説明】
【００１１】
【図１】一実施形態に係る構造用コネクタの上面図である。
【図２】一実施形態に係る構造用コネクタの側面図である。
【図３】一実施形態に係る構造用コネクタの斜視図である。
【図４】一実施形態に係る構造用コネクタの他のシートの斜視図である。
【図５】一実施形態に係る構造用コネクタの他のシートの斜視図である。
【図６】一実施形態に係る構造用コネクタの他のシートの立面図である。
【図７】一実施形態に係る構造用コネクタの他のシートの立面図である。
【図８】他の一実施形態に係る構造用コネクタの斜視図である。
【図９】他の一実施形態に係る構造用コネクタの上面図である。
【図１０】他の一実施形態に係る構造用コネクタの側面図である。
【図１１】他の一実施形態に係る構造用コネクタの斜視図である。
【図１２】複数の構造用コネクタを使用する構造の破断図である。
【図１３】他の一実施形態に係る構造用コネクタの斜視図である。
【図１４】他の一実施形態に係る構造用コネクタの立面図である。
【図１５】他の一実施形態に係る構造用コネクタの製作中における構造用コネクタの分解図である。
【図１６】他の一実施形態に係る構造用コネクタの製作中における該構造用コネクタの斜視図である。
【図１７】他の一実施形態に係る製作中の該構造用コネクタおよびそのために使用される構造の斜視図である。
【図１８】他の一実施形態に係る支柱上に示された構造用コネクタである。
【図１９】他の一実施形態に係る構造用コネクタの斜視図である。
【図２０】他の一実施形態に係る構造用コネクタの斜視図である。
【発明を実施するための形態】
【００１２】
付随する図面に関連して以下に記載される詳細な説明は、本発明の現在の好ましい実施形態の説明として意図されるものであり、本発明はそれらの形態のみで構成および／または利用され得るものではない。本説明は、本発明を構成しかつ運用するための機能および一連のステップを、実施形態に基づいて記載する。
【００１３】
概して、本発明は、対向するシートと、これらのシートを接合する振動減衰材料とを含む構造用コネクタに関連する。構造用コネクタは建築物の構造要素（エレメント）を相互に接続するために使用され、コネクタの表面を分離し、それらの間を移動する振動を抑制する。
【００１４】
構造用コネクタは防音に使用され得るが、防音は本明細書では完全な防音だけでなく、音の遮断、抑制、騒音低減、音の軽減、振動減衰および振動抑制も指すように意図されている。
【００１５】
コネクタはあらゆる建築物の構造要素を相互に接合するために使用され得る。例えば、構造用コネクタは、床要素を壁要素へ、壁要素を梁へ、柱を床要素へ、壁板用の胴縁を壁要素へ、天井要素をその上の床要素へ、階段梁を階段手前の床面へ、ドア枠構成要素を壁開口へ、騒音を発生する機械設備および管を床、壁、天井および屋根へ、垂木を間柱へ、垂木を小梁、屋根接続部等へ接合するために使用され得る。これらの建築構造要素は、金属、木材、複合材料またはプレハブパネルなど、建造物に使用される任意の材料から構成され得る。
【００１６】
構造用コネクタは、振動減衰材料によって相互に接合される２枚またはそれ以上の対向するシートから形成され得る。該対向するシートは、構造要素の接続に適した任意の材料から構成され得る。シート材料としては、例えば、鋼、アルミニウム、ステンレス鋼等などの金属、木材、複合材料、およびプラスチック材料が挙げられる。一般に、上記シートは、振動減衰材料によって分離され、その結果、それらの間に剛性の接続は存在しない。振動減衰材料によるシートの分離は、音などの振動が上記対向シート間で伝わることを防止するか、または少なくとも抑制するように機能する。
【００１７】
各シートは、それらの間に剛性の接続が存在しないように任意の方法で成形され得る。一実施形態では、シートの縁部は内側に曲げられ、その結果、曲げ部分は対向するシートに向かって延びる。さらなる実施形態では、シートの一方または両方の一部は、接続、成形等を促すために、振動減衰材料から離れて延び得る。一実施形態では、シートの拡張部分は、コネクタを建築要素へ取り付けるための結合具の配置を容易にするためおよび／またはシートの曲げを容易にするために、孔を有していてもよい。
【００１８】
１つまたは複数の補強構造体は、シートの内側表面に取り付けられるか、または、シートの内側表面によって形成されていてもよい。これらの補強構造体は、シートと振動減衰材料との間の接続部分を固定するように機能する。該補強構造体はさらに、負荷を受けているときに振動減衰材料のせん断および他の変形を防止し得る。該補強構造体は、金属、木材、複合材プラスチック、または繊維を含むがそれらに限定されない任意の材料から作製され得る。
【００１９】
一実施形態では、補強構造体は補強用梯子であり得る。この梯子は、一方のシートの内側表面に沿って長さ方向または幅方向に整列された細長い要素として形成される。細長い要素は、要素の長さに沿って複数の横木によってシートに取り付けられ、それにより、梯子状補強構造体を形成する。
【００２０】
別の実施形態では、補強構造体は、シートの内側表面の長さまたは幅の少なくとも一部に沿ったＴ字形ブラケットであり得る。Ｔ字形の底部がシートに取り付けられる。さらなる実施形態では、横方向突出部が、Ｔ字形の上部からその長さに沿って延び、構造用コネクタを補強することができる。他の実施形態では、Ｔ字形補強構造体には、その表面に沿って１つまたは複数の開口が形成されていてもよい。
【００２１】
他の実施形態では、補強構造体はブラケットであり得る。ブラケットは、任意の形状のシートから突出し、シートを補強材料に捕捉かつ固定可能な突出物を有し得る。例えば、補強構造体は、Ｌ字形、Ｉ字形に形成されうる。補強構造体は、補強構造体の長さに沿って開口を有しうる。補強構造体は、フック状等に形成されうる。別の実施形態では、シートはシートの縁部で内側に曲げられていてもよく、曲げ部分は振動減衰材料を保持する補強構造体として機能する。いくつかの実施形態では、複数の異なる補強構造体が１つの構造用コネクタで使用されていてもよい。
【００２２】
いくつかの実施形態では、補強用部材として所定量のメッシュまたは網が振動減衰材料内に配置されていてもよい。いくつかの実施形態では、メッシュまたは網は、対向するシートの一方または両方に取り付けられていてもよい。
【００２３】
振動減衰材料は、振動、特に音の振動を吸収しかつ消失させることができる任意の材料であり得る。さらに、いくつかの実施形態では、振動減衰材料は、圧縮、引張りまたはせん断力が加わった状態の建築物の構造要素の重量を、実質的な歪みも変形もなく保持することができなければならない。
【００２４】
望ましい振動減衰材料としては、例えば、弾性材料、粘弾性材料等が挙げられる。他の振動減衰材料としては、シリコーンベース材料、ゴム、プラスチック、軟質エポキシ、発泡型材料、複合材等が挙げられる。一実施形態では、振動減衰材料は、後に硬化または固化できる流体の形態であることができ、構造用コネクタの製造を補助することができる。ある特定の実施形態では、振動減衰材料は、シリコーンベースの空気硬化性材料であり得る。
【００２５】
周縁支持部は、構造用コネクタの縁部に沿って配置され得る。周縁支持部は、特に振動減衰材料が露出される縁部に沿って配置され得る。周縁支持部は、振動減衰材料が外側および内側に変形することを防止し得る。周縁支持部としては、例えば、ファイバメッシュ、振動減衰材料表面に接着されるフィルム、フィルムのストリップ、ファイバのストリップ等が挙げられる。
【００２６】
構造用コネクタは、振動減衰材料によって接続された少なくとも２枚の対向するシートを有する装置であって、それらのシート間に剛性の接続がない装置を形成することができる任意の方法で作製され得る。一実施形態では、構造用コネクタを作製するために型（モールド）が使用され得る。型は、矩形または略矩形の断面と開放頂部とを有する容器として形成され得る。そのようにして、上記シートは、型の片側に形状が一致する矩形の平坦部分を有し得る。型内において、上記シートは両側に配置され得、それらの間に間隙が存在する。次いで、液体状の振動減衰材料が、シート間において型に注入され得る。型は液体が漏れ出ないように蓋付き端部と密閉された底部とを有し得る。液体の振動減衰材料が注入され適切な液位に達すると、固体状態に固化または硬化され得る。固化または硬化が完了すると、構造用コネクタは１つの固体部品として取り出される。このとき、２つのシートは振動減衰材料によって相互に接続された状態である。一実施形態では、次に、この固体部品はより小さい部品へ切断され得る。切断する部品のサイズは、建設ニーズ、接続される構造要素のサイズ、および他の建築上の考慮事項に基づく。
【００２７】
使用時の構造用コネクタの一実施形態において、小梁と壁アセンブリとの間の接続部分は、構造用コネクタによって壁天板に取り付けられた小梁を含む。構造用コネクタの各側に１つずつある２つの木製ストラップ材は、コネクタの小梁への取り付けおよびコネクタの壁天板への取付けを容易にするために使用される。換言すると、接続は、壁天板からストラップ材まで、ストラップ材からコネクタまで、コネクタから対向シートのもう１つのストラップ材まで、そしてストラップ材から小梁まで存在する。
【００２８】
本明細書において、構造用コネクタは単に建築物の構造要素の接続に用いられるだけでなく、２つの物体のいかなる接続にも用いられ得る。例えば、一実施形態では、構造用コネクタは、ラフトコネクタ（ｒａｆｔ  ｃｏｎｎｅｃｔｏｒ）として使用され得る。ラフトコネクタは、壁、天井、床または他の表面に配置され、物品をそれらに接続するのに有用である。物品は、ＨＶＡＣ設備、調理用または浴室排気設備、スピーカー、テレビまたは家庭用電気製品など、壁、天井等に取り付けることが望まれるあらゆる物体であり得る。
【００２９】
別の実施形態では、複数の構造用コネクタは、ある部屋を建築物の残りの部分から少なくとも部分的かつ振動に関して隔離するために使用され得る。この実施形態では、多数の構造用コネクタが使用され、部屋を建築物の残りの部分に接続する各構造要素間に１つ使用され得る。例えば、構造用コネクタは、壁アセンブリと床アセンブリまたは床用小梁との間、壁と天井アセンブリまたは天井用小梁との間、壁コーナー接続部間の各接続点で使用され得る。さらなる実施形態では、構造用コネクタは、間柱を天板および／または底板へ取り付けるために使用され得る。他の実施形態では、構造用コネクタまたは複数のコネクタは、床を基礎床から、および／または天井を天井より上に位置する基礎床から隔離し得る。
【００３０】
この実施形態に記載されるような部屋は、部屋の構造要素と、建築物の残りの部分の構造要素との間の直接的ないかなる構造上の接続からも隔離され得る。さらなる実施形態では、各部屋は、各部屋をさらに振動に関して隔離するために構造用コネクタを追加して使用し得る。
【００３１】
プレハブの壁および床が形成される構造の実施形態において、複数の構造用コネクタは、プレハブの壁と床とを互いに接続するために、およびそれらと基礎壁、梁および／または柱などのそれらに取り付けられる構造要素とを接続するために使用され得る。
【００３２】
方法の別の実施形態では、使用時のコネクタは、床用の小梁および／または縁部ボード（床アセンブリなど）に搭載された上記の防音用の構造用コネクタに取り付けられる壁底板を含む。同様に、壁天板は、別の防音用の構造用コネクタに取り付けられる。別の実施形態では、壁底板は、壁天板に搭載されたコネクタに取り付けられ得る。同様の実施形態では、コンクリートまたは工業用パネル床板は、壁の上部または表面に搭載された構造用コネクタに取り付けられ得る。次いで壁は構造用コネクタによって他の天井または床板に接続され得る。さらに別の実施形態では、持ち上げられた床アセンブリが、構造用コネクタによって基礎床に取り付けられ得る。別の実施形態では、階段用の横梁は、構造用コネクタによって、頂部の階段手前の床面および底部の階段手前の床面にそれぞれ搭載されたコネクタに取り付けられ得る。別の実施形態では、石膏の壁および天井パネルは、胴縁に取り付けられ得る。胴縁は、壁および／または天井構造物に搭載された構造用コネクタに取り付けられている。これらの壁および／または天井構造物は、新規構造物あるいは既存の構造物の一部である。
【００３３】
ここで図１を見ると、構造用コネクタの一実施形態の上面図が提供されている。第１のシート１０および第２のシート２０の両方を見ることができ、この実施形態では第１のシート１０は第２のシート２０よりも幅広い。幅広い方のシート１０は該コネクタを構造要素に接合するための表面を提供する。次いで、隔離された構成要素がシート２０の表面に接合される。
【００３４】
図２は構造用コネクタの別の実施形態の断面図を示す。第２のシート２０は第１のシート１０よりも上に位置する。かかる２枚のシート１０、２０は、振動減衰材料２３によって接合される。振動減衰材料２３は、第１のシート１０と第２のシート２０との間の全ての空間を満たす。振動減衰材料２３の一部２４は露出している。Ｔ字形補強構造体２２は、第１のシートから延びる。さらに、第２のシートは、内側に曲げられた部分２１を有する。内側に曲げられた部分２１は、補強構造体としてさらに機能し得る。第１のシート１０は、振動減衰材料２３から離れて延びる部分を両側に有する。Ｔ字形補強構造体２２および内側に曲げられた部分２１は、振動減衰材料２３を捕捉するために利用できる表面面積を増大する役割を果たし、せん断および圧縮に対する抵抗を増大し得る。
【００３５】
図３は、構造用コネクタの別の実施形態の斜視図を提供する。第２のシート２０は第１のシート１０の上に位置する。２枚のシート１０、２０は、振動減衰材料２３によって接合される。振動減衰材料２３は、第１のシート１０と第２のシート２０との間の全ての空間を満たす。振動減衰材料２３の一部２４は露出している。Ｔ字形補強構造体２２は、第１のシートから延びる。さらに、第２のシートは、内側に曲げられた部分２１を有する。内側に曲げられた部分２１は、補強構造体としてさらに機能し得る。第１のシート１０は、振動減衰材料２３から離れて延びる部分を両側に有する。これらの拡張部分は、中実に表面仕上げされていてもよいし、領域の曲がりもしくは結合具の取付けを受け入れるように形成された孔を備えていてもよい。
【００３６】
図４は、シートの一実施形態の斜視図を提供する。この実施形態では、シート１０は、その上面から延びる中央Ｔ字形補強構造体２２を有する。Ｔ字形の上面６０には、複数の開口６１が形成されている。構造用コネクタを形成する間、振動減衰材料（不図示）は、その開口を通過し、その開口に結合し得る。
【００３７】
図５は、シートの一実施形態の斜視図を示す。この実施形態では、シート２０は、「Ｃ」字形であり、内側に突出する部分７０を有する。内側に突出する部分７０には、複数の開口７１が形成されている。構造用コネクタを形成する間、振動減衰材料（不図示）は、その開口を通過し、その開口に結合し得る。
【００３８】
図６は、シートの一実施形態の上面図を示す。この実施形態では、シート２０は、「Ｃ」字形であり、内側に突出する部分７０を有する。内側に突出する部分７０には、複数の開口７１が形成されている。構造用コネクタを形成する間、振動減衰材料（不図示）はその開口を通過し、その開口に結合し得る。
【００３９】
図７は、シートの一実施形態の上面図を提供する。この実施形態では、シート１０は、その上面から延びる中央Ｔ字形補強構造体を有する。Ｔ字形の上面６０には、複数の開口６１が形成されている。構造用コネクタを形成する間、振動減衰材料（不図示）は、その開口を通過し、その開口に結合し得る。
【００４０】
図８は構造用コネクタおよびその形成シートの別の実施形態の図を提供する。この実施形態では、第２のシート２０は、第１のシート１０の上に位置する。２枚のシート１０、２０は、振動減衰材料２３によって接合される。振動減衰材料２３は、第１のシート１０と第２のシート２０との間の全ての空間を満たす。振動減衰材料２３の一部２４は露出している。複数のＴ字形突出部１３２は、第１のシート１０から延びる。複数の重ねられたＴ字形突出部１３１は、第２のシート２０から延びる。一実施形態では、第１のシート１０の一部は、振動減衰材料２３から離れて延びる。この部分には、結合具（ファスナー）を受け入れ可能な複数の穿孔１３３が区画されている。複数の穿孔１３３は、コネクタの重量を低減し、および／または曲折および他の作業をより容易にし得る。
【００４１】
図９〜１１は構造用コネクタのさらに別の実施形態の図を提供する。第１のシート１０は第２のシート２０の上に位置する。２枚のシート１０、２０は、振動減衰材料２３によって接合される。振動減衰材料２３は、第１および第２のシート１０、２０の間の全ての空間を満たす。振動減衰材料２３の一部２４は露出している。第１のシート１０は、振動減衰材料２３から離れて延びる垂直部分１０ａ、１０ｂを有する。同様に、第２のシート２０は、振動減衰材料２３から離れて延びる垂直部分２０ａ、２０ｂを有する。そのようにして、第１シート１０および第２のシート２０は、平らな底部を有する略「Ｕ」字形に形成される。複数の補強用梯子は、第１のシートおよび第２のシートから延びる。補強用梯子は、ワイヤ、ケーブル、棒、管等などの細長い要素１６０および要素１６２と、それをシート１０またはシート２０に接続する横木１６１および横木１６３とを含む。要素１６０、１６２は第１のシート１０の表面に対して実質的に平行に方向付けられている。横木１６１、１６３は要素１６０、１６２からシート１０、２０へ垂直に延びる。
【００４２】
図１２は建築物の断面図である。断面図は、本明細書中に教示される構造用コネクタによって、建築物の残りの部分との剛性接続部から隔離された部屋を示す。複数の構造用コネクタ２４４は、部屋２４５および部屋の要素を、間柱２４０、２４３および小梁２４１、２４２に接続する。具体的には、天井２４７は、構造用コネクタ２４４を介して、小梁２４１に取り付けられる。この小梁２４１は、間柱２４０および間柱２４３のそれぞれに取り付けられた天板に構造用コネクタ２４４を使用して接続される。さらに、小梁２４２は、間柱２４０または間柱２４３に取り付けられた底板に構造用コネクタ２４４によって接続される。床２４８は、小梁２４２に直接接続されている。しかし、小梁２４２は、構造用コネクタによって間柱２４０、２４３およびそれらの底板から分離されている。壁２４６は、ここでは間柱２４０、２４３に直接接続された状態で示され、間柱は次いで構造用コネクタ２４４によって小梁２４１、２４２からの直接接続から切り離される。代替実施形態では、壁２４６は、構造用コネクタ２４４によって間柱２４０、２４３に接続されていてもよい。
【００４３】
図１３および１４は、構造用コネクタの別の実施形態の図を提供する。この実施形態では、第１および第２のシート２６１、２６２は、振動減衰材料２３によって接合される。この実施形態では、第１および第２のシート２６１、２６１は、ブロックとして形成される。これらのブロックは、構造用コネクタとして接合されかつ使用されることができる任意の材料から作製され得る。例えば、ブロックは、一体の木または合板のいずれかである木、プラスチック、金属、複合材料等から形成され得る。溝２６３は、第１および第２のシート２６１、２６２に少なくとも部分的に延在する。溝２６３は、構造用コネクタの補強構造体である。示される実施形態では、溝２６３は、ダブテール型の溝として形成され、シート２６１、２６２の反対側の縁部に近づくにつれて拡張する幅を有する。いくつかのそのような実施形態では、この構造は、シート２６１、２６２を一緒に固定することを補助し得る。他の実施形態では、溝２６３は、「Ｔ」字形、矩形等などの可変形状を有し得る。多くの実施形態では、溝は、対向シート２６１、２６２を振動減衰材料２３に固着することを補助するように成形され得る。
【００４４】
図１５は、構造用コネクタを製作および製造する間の該構造用コネクタの一実施形態の分解図を提供する。第１のシート２７１は、フランジ付き補強構造体２７３と、上面中の複数の穴２７２と、補強構造体（不図示）とを含む。これらの穴は、液状の振動減衰材料（不図示）の導入を許容し、また、振動減衰材料がその中および周囲で成形して第１および第２のシート２７１、２７５を一緒に固定するための表面を提供する。第２のシート２７５も同様に補強構造体２７４を備えて形成される。この構造は、第１のシート２７１の穴と同様の穴２７２を有する。スペーサ２７６は、第２のシート２７５に配置されている。これにより、液状の振動減衰材料が導入されるとき、補強構造体２７３、２７４が材料によって結合される領域から振動減衰材料が流出することを防止する。
【００４５】
図１６〜１７は構造用コネクタの製作および製造のある実施形態の図を提供する。構造用コネクタフレーム構造２７０は、第１および第２のシート２７１、２７５を有する。第１および第２のシート２７１、２７５は、それらの補強構造体２７３、２７４を介して相互に固定されている。スペーサ２７６は、第２のシート２７５の上に位置する。次いでこのコネクタフレーム構造２７０は、ラックに配置される。ラックは、基礎部分２８１と、ヒンジ２８３によって基礎部分にヒンジ式に接続される側壁２８２とを有する。フレーム構造２７０は、同じラック構造内において複数の他のフレーム構造２７０の隣に配置され得る。その中に配置されると、液状の振動減衰材料が各フレーム構造２７０内に、好ましくは穴２７２を通して導入され得る。シート２８０は、隣接するフレーム構造２７０間に配置されうる。これにより、振動減衰材料が逸出することおよび隣接するフレーム構造２７０同士が相互に干渉することを防止することができる。さらに、側壁２８２および／または第１のシート２７１は、支持体２９３に接続された直立部分２９２を使用して適所で保持され得る。エンドブロック２９１は、列の最後のフレーム構造２７０に配置され、これを適所に保持する。
【００４６】
図１８は、ここでは支柱の上に示されている構造用コネクタの別の実施形態を提供する。支柱基礎部分３１０は、垂直に方向付けられ、負荷に耐えかつその上面に配置されたものに接続されるように構成される任意の構造用支柱、柱等であり得る。構造用コネクタは、支柱３１０の上面および／または側面に接続しかつ振動を吸収するように構成される。２枚の対向シート３１２は、それらの内面から延びる突出補強構造体３１５を有する。これらは、突出補強構造体３１６を有する内側シート３１４を間にして離間している。内側シート３１４は負荷物支持上面３１１に接続される。振動減衰材料がそれらを結合し、それらを直接的な接続から切り離す。複数の補強構造体３１５、３１６は、様々な寸法の負荷物に適合するために使用され得る。各対向シートは、コネクタ３１３を有する。コネクタ３１３は、中空支柱３１０の頂部に引っかかるように、または、上縁部に載るように、または同様に接続するように構成されかつ寸法が定められている。しかしながら、本発明の範囲から逸脱することなく、任意の均等なコネクタ構造が使用されてもよい。対向シート３１２は、中空支柱３１０内を摺動するように寸法を決められる。
【００４７】
図１９は、構造用コネクタの別の実施形態の斜視図を提供する。第２のシート３２１は、第１のシート３２２の上に位置する。２枚のシート３２１、３２２は、振動減衰材料２３によって接合される。振動減衰材料２３は、第１および第２のシート３２２、３２１の間の空間を満たす。このとき、２枚のシート３２１、３２２は、相互に固定された位置であるが非接触位置にある。振動減衰材料２３の一部２４は露出している。補強構造体は、第１および第２のシート３２２、３２１から振動減衰材料２３中へ延びる。第１のシート３２２には、振動減衰材料２３が入り込み得る複数の穴３２５が形成されている。一般に、穴は、振動減衰材料が液状の場合に流出しないように薄い材料で密閉されている。第１のシートはさらに、第１のシートおよび第２のシート３２１から離れて延びる拡張部分３２３を含む。拡張部分３２３には、間柱等などの固体表面に取り付けるために使用される開口３２６が形成されている。補強用羽根３２４が拡張部分３２３から延び、第１のシート３２２の反対側の縁部と結合する。
【００４８】
図２０は、構造用コネクタの別の実施形態の斜視図を提供する。第２のシート３３１は、第１のシート３３２の上に位置する。かかる２枚のシート３２１、３２２は、振動減衰材料２３によって接合される。振動減衰材料２３は、第１および第２のシート３３２、３３１の間の空間を満たす。このとき、２枚のシート３２１、３２２は、相互に固定された位置であるが非接触位置にある。振動減衰材料２３の一部２４は露出している。補強構造体は、第１および第２のシート３２２、３２１から振動減衰材料２３中へ延びる。第１のシート３３２は、さらに、第１のシート３３２および第２のシート３２１から離れて延びる拡張部分３３５を含む。拡張部分３２３には、間柱等などの固体表面に取り付けるために使用される開口３３５が形成されている。同様に、第２のシート３３１は、開口３３４が形成された拡張部分３３３を含む。
【００４９】
本発明の幾つかの形態を好ましいまたは特定の実施形態で例として示してきたが、さらなる実施形態が、本発明の趣旨および範囲内で、またはその発明概念内で開発されてもよいことは明らかである。しかしながら、そのような修正形態および適応形態は本発明の趣旨および範囲内にあり、包括的であるが、記載されるような後続の付随する請求項に限定されないことは明らかである。
【図１】
2017528624.tif 000003
【図２】
2017528624.tif 000004
【図３】
2017528624.tif 000005
【図４】
2017528624.tif 000006
【図５】
2017528624.tif 000007
【図６】
2017528624.tif 000008
【図７】
2017528624.tif 000009
【図８】
2017528624.tif 000010
【図９】
2017528624.tif 000011
【図１０】
2017528624.tif 000012
【図１１】
2017528624.tif 000013
【図１２】
2017528624.tif 000014
【図１３】
2017528624.tif 000015
【図１４】
2017528624.tif 000016
【図１５】
2017528624.tif 000017
【図１６】
2017528624.tif 000018
【図１７】
2017528624.tif 000019
【図１８】
2017528624.tif 000020
【図１９】
2017528624.tif 000021
【図２０】
2017528624.tif 000022
【手続補正書】
【提出日】平成29年2月8日(2017.2.8)
【手続補正１】
【補正対象書類名】特許請求の範囲
【補正対象項目名】全文
【補正方法】変更
【補正の内容】
【特許請求の範囲】
【請求項１】
第１の構造要素と、第２の構造要素と、音を軽減する構造用コネクタとを備える構造物であって、
前記音を軽減する構造用コネクタは、
第１のシートと、
前記第１のシートに対向する第２のシートであって、該第１のシートの外面に対向する側の該第２のシートの外面が該第１のシートの外面から離れて配置される第２のシートと、
粘弾性で音を軽減する振動減衰材料であって、前記第１のシートのいずれの部分も前記第２のシートと接触しないように、側面からみて前記第１のシートの外面に沿って延びて前記第１のシートと第２のシートとを接合する振動減衰材料と、
前記第１のシートおよび前記第２のシートのそれぞれの外面に形成された溝であって、前記振動減衰材料が該溝の中に延びる溝と、
を有しており、
ここで、前記第１のシートは、前記振動減衰材料の側面と平行な面に沿って前記振動減衰材料から離れるように延びる拡張部分をさらに有しており、
前記第１のシートは、該拡張部分に接続する結合具によって前記第１の構造要素に取り付けられており、
前記第２のシートは、前記第２の構造要素に取り付けられている、
構造物。
【請求項２】
前記第１のシートおよび前記第２のシートは、それぞれ、複数の前記溝を有する、請求項１に記載の構造物。
【請求項３】
前記溝のそれぞれは、ダブテール型の溝として形成されている、請求項１または２に記載の構造物。
【請求項４】
前記第１のシートおよび前記第２のシートは、それぞれ、木製のブロックである、請求項１〜３の何れか一項に記載の構造物。
【請求項５】
前記木製のブロックは、合板で形成されている、請求項４に記載の構造物。
【請求項６】
前記第１のシートのシート長は、前記第２のシートのシート長よりも長い、請求項１〜５の何れか一項に記載の構造物。
【請求項７】
前記第１の構造要素は、前記第１のシートに接続する建築小梁である、請求項１〜６の何れか一項に記載の構造物。
【請求項８】
前記第１の構造要素は、前記第１のシートに接続する壁アセンブリである、請求項１〜６の何れか一項に記載の構造物。
【請求項９】
前記第１の構造要素は、前記第１のシートに接続する壁アセンブリの間柱である、請求項１〜６の何れか一項に記載の構造物。
【請求項１０】
前記第１の構造要素は、床要素、壁要素、梁、柱、胴縁、天井要素、階段梁、階段手前の床面、ドア枠構成要素、壁開口、管、屋根要素、垂木、間柱、小梁、屋根接続部、および、壁アセンブリの板のうちのいずれかである、請求項１〜６の何れか一項に記載の構造物。
【請求項１１】
前記第２の構造要素は、床要素、壁要素、梁、柱、胴縁、天井要素、階段梁、階段手前の床面、ドア枠構成要素、壁開口、管、屋根要素、垂木、間柱、小梁、屋根接続部、および、壁アセンブリの板のうちのいずれかである、請求項１０に記載の構造物。
【請求項１２】
前記第１のシートの拡張部分は、前記振動減衰材料の第１の側面から離れるように延びており、
ここで、前記第１のシートは、前記振動減衰材料の第２の側面から離れるように延びている第２の拡張部分をさらに有している、請求項１〜１１の何れか一項に記載の構造物。
【請求項１３】
第１の構造要素と、第２の構造要素と、音を軽減する構造用コネクタとを備える構造物であって、
前記音を軽減する構造用コネクタは、
第１のシートと、
前記第１のシートに対向する第２のシートであって、該第１のシートの外面に対向する側の該第２のシートの外面が該第１のシートの外面から離れて配置される第２のシートと、
粘弾性で音を軽減する振動減衰材料であって、前記第１のシートのいずれの部分も前記第２のシートと接触しないように前記第１のシートと第２のシートとを接合する振動減衰材料と、
前記第１のシートおよび前記第２のシートのそれぞれの外面に形成された溝であって、前記振動減衰材料が該溝の中に延びる溝と、
を有しており、
ここで、前記第１のシートは、前記構造用コネクタの長さ方向の面に沿って前記振動減衰材料から離れるように延びる拡張部分をさらに有しており、
前記第１のシートは、該拡張部分に接続する結合具によって前記第１の構造要素に取り付けられており、
前記第２のシートは、前記第２の構造要素に取り付けられている、
構造物。
【請求項１４】
前記第１のシートは、前記第２のシートよりもシート長が長い、請求項１３に記載の構造物。
【請求項１５】
前記第１の構造要素は、床要素、壁要素、梁、柱、胴縁、天井要素、階段梁、階段手前の床面、ドア枠構成要素、壁開口、管、屋根要素、垂木、間柱、小梁、屋根接続部、および、壁アセンブリの板のうちのいずれかである、請求項１３または１４に記載の構造物。
【国際調査報告】
2017528624.tif 000023